(57)【要約】  心臓血管の外部サポート循環装置（２）において血液性状値を連続的に監視し、この循環装置（２）が静脈ライン（３）、酸素供給器（４）、ポンプ（５）、及び動脈ライン（６）を備えた、デバイス（１）は：静脈血の酸素飽和度（ＳＡＴ  Ｖ）の計測に好適なセンサ（７）及び動脈血の酸素飽和度（ＳＡＴ  Ｖ）を計測するのに好適なセンサ（８）；ポンプ（５）によって酸素供給器（４）に送られた血液フロー（Ｑｂ）の計測に好適なセンサ（１１）；ヘモグロビン（Ｈｂ）の計測に好適なセンサ（１２）；オペレータによる、データ入力手段；及びマイクロプロセッサ（１５）が設けられ、ディスプレイ（１６）に動作可能に接続された、電子制御ユニット（１４）を備える。デバイス（１）はさらに、作動ガスのフロー（Ｇｆ）を計測するのに好適なセンサ（１９）及び血液中の二酸化炭素濃度を計測するよう適合されたカプノメータ（２０）を備える。マイクロプロセッサ（１５）には、酸素供給器によって除去された二酸化炭素量（Ｖ’ＣＯ２ＭＬ）に関する数量、及び酸素供給器によって移送された酸素量（Ｖ’Ｏ２ＭＬ）に関する数量を計算するよう適合された手段が設けられる。マイクロプロセッサ（１５）は、計測及び計算された全ての数量の値を、数字的形態でディスプレイ（１６）に表示するよう、ならびにこれらの値のうちの少なくともいくつかを図式的形態でディスプレイ(１６）に表示するようプログラムされる。マイクロプロセッサ（１５）には、患者の肺から除去された二酸化炭素量（Ｖ’ＣＯ２ＮＬ）に関する数量を得るために手段がさらに設けられ、かつ除去された合計の二酸化炭素量（Ｖ’ＣＯ２ｔｏｔａｌ）に関する数量を計算するよう適合された手段が設けられる。【選択図】図１
2021512660.tif 000002
【特許請求の範囲】
【請求項１】
心臓血管の外部サポート循環装置（２）において血液性状値を連続的に監視するためのデバイス（１）であって、前記心臓血管の外部サポート循環装置（２）は、患者から血液を酸素供給器（４）へ搬送し、ポンプ（５）がそれに沿って配置された静脈ライン（３）、及び前記酸素供給器（４）から血液を患者に戻す動脈ライン（６）を備え、前記酸素供給器（４）は、前記静脈ライン（３）に接続された少なくとも１つの血液入口ポート、及び前記動脈ライン（６）に接続された少なくとも１つの血液出口ポートを備え、作動ガスの少なくとも１つの入口チャネル（３０）及び少なくとも１つの出口チャネル（３１）は、酸素を血液に供給するよう、及び／または血液から二酸化炭素を除去するよう意図され、
前記デバイス（１）は、
静脈血の酸素飽和度（ＳＡＴ  Ｖ）及び動脈血の酸素飽和度（ＳＡＴ  Ａ）それぞれから成る数量の、連続した計測に好適である、前記静脈ライン（３）に接続された１つのセンサ（７）、及び前記動脈ライン（６）に接続された１つのセンサ（８）と、
前記静脈ラインに沿って挿入され、前記ポンプ（５）によって前記酸素供給器（４）に送られる血液フロー（Ｑｂ）によって構成される数量を連続的に計測するのに好適である、少なくとも１つのセンサ（１１）と、
前記心臓血管の外部サポート循環装置（２）のポイントに挿入され、ヘモグロビン（Ｈｂ）によって構成される数量を計測するのに好適な、少なくとも１つのセンサ（１２）と、
オペレータによる、データ入力手段と、
マイクロプロセッサ（１５）が設けられ、ディスプレイ（１６）に動作可能に接続された、電子制御ユニット（１４）であって、前記マイクロプロセッサ（１５）は、前記センサ（７、８、１１、１２）によって計測され、前記オペレータによって入力されたデータを受け取り、前記データを前記ディスプレイ（１６）に表示するよう適合された、電子制御ユニット（１４）と、
前記心臓血管の外部サポート循環装置（２）のポイントに挿入され、作動ガスのフロー（Ｇｆ）を連続的に計測するのに好適な、少なくとも１つのセンサ（１９）と、
前記心臓血管の外部サポート循環装置（２）のポイントに挿入され、血液中の二酸化炭素濃度を計測するよう適合された、少なくとも１つのカプノメータ（２０）と
を備え、
前記マイクロプロセッサ（１５）には、前記酸素供給器（４）によって除去された二酸化炭素量（Ｖ’ＣＯ２ＭＬ）に関する数量、及び前記酸素供給器（４）によって移送された酸素量（Ｖ’Ｏ２ＭＬ）に関する数量を計算するよう適合された手段が設けられ、
前記マイクロプロセッサ（１５）は、計測され及び計算された全ての数量の値を数字的形態で、ならびに前記値のうちの少なくともいくつかを図式的形態で、前記ディスプレイ（１６）に表示するようプログラムされ、
前記デバイス（１）は、
患者の肺から除去された二酸化炭素量（Ｖ’ＣＯ２ＮＬ）に関する数量を得るための取得手段を備えること、及び前記マイクロプロセッサ（１５）には、除去された合計の二酸化炭素量（Ｖ’ＣＯ２ｔｏｔａｌ）に関する数量を計算するよう適合された手段が設けられること、を特徴とする、デバイス（１）。
【請求項２】
前記マイクロプロセッサ（１５）は、患者の肺から除去された前記二酸化炭素量（Ｖ’ＣＯ２ＮＬ）と、除去された合計の前記二酸化炭素量（Ｖ’ＣＯ２ｔｏｔａｌ）に関する数量との間の比率（ＣＯ２ＲＮＬ）に関する数量を計算するよう適合された手段を備えることを特徴とする、請求項１に記載のデバイス（１）。
【請求項３】
患者によって供給された血液のフロー率（Ｃ．Ｏ．）に関する数量を得るための、取得手段を備えることを特徴とする、請求項１または２に記載のデバイス（１）。
【請求項４】
前記取得手段は、前記データ入力手段及び自動検出手段から成るグループから選択されることを特徴とする、請求項１〜３のうちいずれか一項に記載のデバイス（１）。
【請求項５】
少なくとも１つの人工呼吸器（２９）に接続された患者の強制換気ライン（２８）を備えること、及び患者の肺から除去された前記二酸化炭素量（Ｖ’ＣＯ２ＮＬ）を自動的に検出するための前記自動検出手段は、前記人工呼吸器（２９）を備えることを特徴とする、請求項４に記載のデバイス（１）。
【請求項６】
患者によって供給された血液のフロー率（Ｃ．Ｏ．）を自動的に検出するための前記自動検出手段は、患者自身に位置付けられた少なくとも１つのセンサ（２６）を備えることを特徴とする、請求項４または５に記載のデバイス（１）。
【請求項７】
前記心臓血管の外部サポート循環装置（２）のポイントに挿入され、血圧の連続的な計測に好適である、少なくとも１つのセンサ（２１、２２、２３）を備えることを特徴とする、請求項１〜６のうちいずれか一項に記載のデバイス（１）。
【請求項８】
前記マイクロプロセッサ（１５）は、搬送された酸素量（ＤＯ２）に関する数量、及び消費酸素量（ＶＯ２）に関する数量のうちの少なくとも一方を計算するよう適合された手段を備えることを特徴とする、請求項１〜７のうちいずれか一項に記載のデバイス（１）。
【請求項９】
前記マイクロプロセッサ（１５）は、搬送された前記酸素量（ＤＯ２）に関する数量と、前記酸素供給器（４）によって除去された前記二酸化炭素量（Ｖ’ＣＯ２ＭＬ）に関する数量との間の比率（ＤＯ２／Ｖ’ＣＯ２ＭＬ）を計算するよう適合された手段を備えることを特徴とする、請求項８に記載のデバイス（１）。
【請求項１０】
前記心臓血管の外部サポート循環装置（２）のポイントに挿入され、乳酸の連続的な計測に好適である、少なくとも１つのセンサ（２４）を備える、請求項１〜９のうちいずれか一項に記載のデバイス（１）。
【発明の詳細な説明】
【技術分野】
【０００１】
本発明は、心臓血管の外部サポート循環装置において、血液性状値を連続的に監視するためのデバイスに関する。
【背景技術】
【０００２】
心臓手術中に重要臓器の正しい機能を保証するために、重要臓器の潅流、すなわち酸素を含んだ血液をスプレーすることを主な目的として、体外での血液循環が実現される。この目的のため、体外循環装置に含まれた設備のうちの１つは、酸素供給器から成る。酸素供給器においては、患者から採取した静脈ラインからの血液に、動脈ラインに導入して患者に戻す前に、酸素が加えられる。
【０００３】
詳細には、例えば急性の心不全及び／または呼吸不全を持つ患者の場合、外部循環装置によって患者の臓器の機能をサポートすることが可能である。したがって、このような外部循環装置は、心臓血管の観点から患者の生体機能をサポートするよう設計される。換言すると、血液の一部には自然に患者の心臓によって酸素を加えられ、血液の一部には外部サポート循環装置によって酸素を加えられる。
【０００４】
この心臓血管をサポートする治療は、ＥＣＭＯ（ＥｘｔｒａＣｏｒｐｏｒｅａｌ  Ｍｅｍｂｒａｎｅ  Ｏｘｙｇｅｎａｔｉｏｎ：体外式膜型人工肺）またはＥＣＬＳ（Ｅｘｔｒａｃｏｒｐｏｒｅａｌ  Ｌｉｆｅ  Ｓｕｐｐｏｒｔ：体外生命維持装置）と呼ばれている。
【０００５】
患者と外部サポート循環装置とから成るシステムの機能を制御するため、及び組織への酸素の供給が不十分となるのを防ぐために、現在は動脈血及び静脈血から頻繁にサンプルを採取しており、これらの血液は手術室において直接分析される。しかしこの方法は、患者の潅流状態に関して信頼性を提供できないことが判っている。
【０００６】
センサによって計測され、及び／またはオペレータによって入力されたデータを受け取り、前述の血液性状を提供するために、それらを処理することができるマイクロプロセッサが設けられた、血液性状を監視するためのシステムも知られている。
【０００７】
しかし、これらのシステムも不十分である。なぜなら、これらのシステムは、医療スタッフに、患者の状態及び外部サポート循環装置の完全かつ包括的な実状をもたらすための、十分な情報を提供できないからである。
【０００８】
公知のタイプの監視システムは、国際公開第２０１６／１８０９５３号に記載されている。そこでは、酸素供給器によって取り除かれた二酸化炭素量Ｖ’ＣＯ２ＭＬに関する数量、及び酸素供給器によって移送された酸素量Ｖ’Ｏ２ＭＬに関する数量を計算するよう適合された手段が提供された、マイクロプロセッサを備えている。
【先行技術文献】
【特許文献】
【０００９】
【特許文献１】国際公開第２０１６／１８０９５３号
【発明の概要】
【発明が解決しようとする課題】
【００１０】
したがって本発明の目的は、心臓血管の外部サポート循環装置において血液性状値を連続的に監視するためのデバイスを提供し、介入中のオペレータに、デバイスの完全な誘導を可能にする情報を最適な結果のために提供することである。
【００１１】
この目的内における本発明の１つの目標は、医療スタッフが、患者の生体機能を効果的に監視できるようにすること、及びその後、それに応じて循環装置の特性パラメータを調整できるようにすることである。
【００１２】
本発明の１つの目標は、医療スタッフが、デバイスの動作及び患者の肺活量を、迅速かつ直観的に識別、評価できるよう、医療スタッフに数字的形態及び図式的形態の両方の情報を提供することである。
【００１３】
本発明の別の目標は、使用が単純、合理的、簡易、効果的、かつ低コストの解決策の中で、言及した従来技術の欠点を克服可能な、心臓血管の外部サポート循環装置において血液性状値を連続的に監視するためのデバイスを考案することである。
【課題を解決するための手段】
【００１４】
上述の目標は、請求項１による、心臓血管の外部サポート循環装置において血液性状値を連続的に監視するための、本デバイスによって実現される。
【００１５】
本発明の他の特徴及び利点は、添付の表及び図における限定ではない表示によって例示された、心臓血管の外部サポート循環装置において血液性状値を連続的に監視するためのデバイスの、好ましいが排他的ではない実施形態の説明からより明確になる。
【図面の簡単な説明】
【００１６】
【図１】本発明による監視デバイスの概略図である。
【図２】本発明による監視デバイスのディスプレイの概略図である。
【発明を実施するための形態】
【００１７】
これらの図を詳細に参照すると、全体的に参照番号１は、心臓血管の外部サポート循環装置において血液性状値を連続的に監視するためのデバイスを示す。
【００１８】
例えばＥＣＭＯ、ＥＣＬＳ、またはＣＰＢ（Ｃａｒｄｉｏｐｕｌｍｏｎａｒｙ  Ｂｙｐａｓｓ：心肺バイパス）の治療に使用される、図１において参照番号２で識別される循環装置は、患者から酸素供給器４に血液を搬送し、それに沿って少なくとも１つのポンプ５が配置された、静脈ライン３と、酸素供給器４から患者へ血液を戻す動脈ライン６とを備える。公知のように、ＥＣＭＯ及びＥＣＬＳの治療において、循環装置２は患者の機能をサポートし、したがって彼／彼女と共に動作する。一方でＣＰＢの治療において、循環装置２は患者の機能に完全に取って代わる。したがってこの患者は、血液からの二酸化炭素の除去に助力しない。
【００１９】
酸素供給器４は、静脈ライン３に接続された少なくとも１つの血液入口ポート、及び動脈ライン６に接続された少なくとも１つの血液出口ポート、ならびに、酸素を血液に供給し、及び／または血液から二酸化炭素を除去するよう意図された作動ガスの、少なくとも１つの入口チャネル３０、及び少なくとも１つの出口チャネル３１を備える。
【００２０】
図１において参照番号２８で示された換気ラインも設けられ、患者の呼吸を機械的に補助するために適合された人工呼吸器２９に接続される。
【００２１】
デバイス１は、静脈ライン３に接続された１つのセンサ７、及び動脈ライン６に接続された１つのセンサ８を備える。それらはそれぞれ、静脈血の酸素飽和度ＳｖＯ２及び動脈血の酸素飽和度ＳａＯ２から成る数量の、連続的な計測に好適である。センサ７及び８は、それぞれ静脈血の酸素飽和度センサ及び動脈血の酸素飽和度センサとも定義できる。
【００２２】
好ましくは、センサ７は、酸素供給器４に入る静脈ライン３における入力コネクタに挿入され、一方でセンサ８は、酸素供給器４からの動脈ライン６における出力コネクタに挿入される。
【００２３】
適切には、静脈ライン３に沿って、及び動脈ライン６に沿って、静脈血の温度ＴＶｅｎを検出するよう適合されたセンサ９、及び動脈血の温度ＴＡｒｔを検出するよう適合されたセンサ１０がそれぞれ挿入される。センサ９及び１０は、それぞれ静脈血温度センサ及び動脈血温度センサとも定義できる。
【００２４】
デバイス１は、静脈ライン３に沿って挿入され、ポンプ５によって酸素供給器４に送られる血液フローによって構成される値Ｑｂを連続的に計測するのに好適である、少なくとも１つのセンサ１１も備える。センサ１１は、血液フローセンサとも定義できる。
【００２５】
心臓血管の外部サポート循環装置２のポイントに挿入され、ヘモグロビンＨｂによって構成される値を計測するのに好適な、少なくとも１つのセンサ１２も提供される。センサ１２は、ヘモグロビンセンサとも定義できる。
【００２６】
デバイス１には、図に詳細に示されないが、オペレータによってデータを入力するよう適合された、電子制御ユニット１４の手段がさらに設けられる。電子制御ユニット１４にはマイクロプロセッサ１５が設けられ、かつディスプレイ１６に動作可能に接続される。容易に理解されるように、データを入力する手段はボタンタイプである。
【００２７】
マイクロプロセッサ１５は、センサ７、８、９、１０、１１、１２によって計測されたデータ、及びオペレータによって入力されたデータを受け取るよう適合され、それらを少なくとも部分的にディスプレイ１６に表示させる。
【００２８】
マイクロプロセッサ１５は、計測及び計算された全ての値を数字的形態で、ならびにこれらの値のうちの少なくともいくつかを図式的形態で、ディスプレイ１６に表示するようプログラムされる。
【００２９】
計測または入力された様々な数量の数値は、関連するボックス内に示され、図において参照番号１７で識別される。
【００３０】
適切には、オペレータが複数の利用可能なスクリーンページの中で動かすことができ、どの数量を表示するか、ならびに図式的形態及び／または数字的形態かを選択できる、ナビゲータボタン１８も設けられる。
【００３１】
好ましくは、ディスプレイ１６はタッチスクリーンタイプであり、いくつかのナビゲーションボタン１８はボックス１７に対応し、それらの内側で、測定または計算された数で示される値が示される。これらのボックス１７を選択することによって、これらの数量の図式的傾向を経時的に視認することが可能になる。
【００３２】
本発明によると、デバイス１は、入口チャネル３０に沿って挿入され、作動ガスのフローＧｆの連続的な計測に好適な少なくとも１つのセンサ１９と、出口チャネル３１に沿って挿入され、かつ静脈血から除去されたＣＯ２％と示される二酸化炭素濃度を計測するよう適合された少なくとも１つのカプノメータと、を備える。センサ１９は、作動ガスのフローセンサとも定義できる。
【００３３】
さらに本発明によると、マイクロプロセッサ１５には、Ｖ’ＣＯ２ＭＬと示される、酸素供給器４によって除去された二酸化炭素量に関する数量と、Ｖ’Ｏ２ＭＬと示される、酸素供給器４によって移送された酸素量に関する数量とを計算するよう適合された手段が設けられる。
【００３４】
酸素供給器４によって移送された酸素量に関するＶ’Ｏ２ＭＬは、以下の数式によって計算される。
Ｖ’Ｏ２ＭＬ＝Ｑｂ×ＣａＯ２−ＣｖＯ２×１０
ここで、ポンプ５によって酸素供給器４に搬送された血液フローに関する数量Ｑｂは、センサ１１によって検出され、動脈血及び静脈血それぞれの酸素含有量に関する数量ＣａＯ２及びＣｖＯ２は、以下の数式によって計算される。
ＣａＯ２＝０．０１３８×Ｈｂ×ＳａＯ２
ＣｖＯ２＝０．０１３８×Ｈｂ×ＳｖＯ２
ここで、数量Ｈｂ、ＳａＯ２、及びＳｖＯ２はそれぞれ、センサ１２によって検出されたヘモグロビン、センサ８によって検出された動脈血飽和度、及びセンサ７によって検出された静脈血飽和度に相当する。
【００３５】
数量Ｖ’Ｏ２ＭＬは、一般にｍｌ／ｍｉｎで表わされる。
【００３６】
酸素供給器４によって除去された二酸化炭素量に関するＶ’ＣＯ２ＭＬは、以下の数式によって計算される。
Ｖ’ＣＯ２ＭＬ＝ＣＯ２％×Ｇｆ×１０
ここで、数量ＣＯ２％は、カプノメータ２０によって検出された酸素のパーセンテージに相当し、数量Ｇｆは、センサ１９によって検出された作動ガスのフローに相当する。
【００３７】
数量Ｖ’ＣＯ２ＭＬは、一般にｍｌ／ｍｉｎで表わされる。
【００３８】
有利には、デバイス１は、Ｖ’ＣＯ２ＮＬと示される、患者の肺から除去された二酸化炭素量に関する数量を得るための、手動及び／または自動の取得手段を備える。マイクロプロセッサには、Ｖ’ＣＯ２ｔｏｔａｌと識別される、除去された合計の二酸化炭素量に関する数量を計算するよう適合された、手段が設けられる。より詳細には、除去された合計の二酸化炭素量Ｖ’ＣＯ２ｔｏｔａｌは、酸素供給器４によって除去された二酸化炭素量に関するＶ’ＣＯ２ＭＬと、患者の肺から除去された二酸化炭素量に関するＶ’ＣＯ２ＮＬとの合計に相当する。
Ｖ’ＣＯ２ｔｏｔａｌ＝Ｖ’ＣＯ２ＭＬ＋Ｖ’ＣＯ２ＮＬ
【００３９】
Ｖ’ＣＯ２ＮＬしたがってＶ’ＣＯ２ｔｏｔａｌの連続的な計算は、医療スタッフが患者の生体機能を効果的に監視するのを可能にし、それによってその後の循環装置２の特性パラメータを規制するのを可能にする。
【００４０】
詳細には、患者の、酸素を血液に供給する能力、及び二酸化炭素を除去する能力によって、医療スタッフは、例えば酸素供給器４を通過する作動ガスのフローＧｆを増減させることによって、循環装置２を調整する。これは、循環装置２が患者の心臓血管機能をサポートすることを意味するためであり、患者の機能が改善すると、正しい酸素量を血液へ提供するために、酸素供給器４によってもたらされる助力を軽減させること、及びその逆も望ましい。
【００４１】
好ましくは、マイクロプロセッサ１５は、患者の肺から除去された二酸化炭素量Ｖ’ＣＯ２ＮＬと、除去された合計の二酸化炭素量に関する数量Ｖ’ＣＯ２ｔｏｔａｌとの間の比率に関する数量を計算するよう適合された、手段を備える。この比率はＣＯ２ＲＮＬと示される。
ＣＯ２ＲＮＬ＝Ｖ’ＣＯ２ＮＬ／Ｖ’ＣＯ２ｔｏｔａｌ
【００４２】
有利には、循環装置２は、Ｃ．Ｏ．（Ｃａｒｄｉａｃ  Ｏｕｔｐｕｔ：心拍出量）と示される、患者によって供給された血液のフロー率に関する数量を得るための、取得手段を備える。Ｃ．Ｏ．の数量は、各脈拍（脈動出力またはストロークと呼ばれる）で心室によって放出され、略語ＳＶで識別される血液の体積に、心拍数（ＨＲ）を乗算した以下の数式に相当する。
Ｃ．Ｏ．＝ＳＶ×ＨＲ
【００４３】
したがって、患者によって供給された血液のフロー率は、心臓が１分間に噴出させる血液量に相当する。
【００４４】
上述の取得手段、すなわち患者の肺から除去された二酸化炭素量Ｖ’ＣＯ２ＮＬに関するもの、及び患者によって供給された血液のフロー率Ｃ．Ｏ．に関するものは、データ入力手段及び自動検出手段を含むグループから選択される。より詳細には、患者の肺から除去された二酸化炭素量Ｖ’ＣＯ２ＮＬを自動的に検出するための自動検出手段は、人工呼吸器２９に相当し、その一方で、患者によって供給された血液のフロー率Ｃ．Ｏ．を自動的に検出するための自動検出手段は、患者に位置付けられたセンサ２６を備える。
【００４５】
換言すると、患者の肺から除去された二酸化炭素量Ｖ’ＣＯ２ＮＬに関する数字、及び患者によって供給された血液のフロー率Ｃ．Ｏ．に関する数字は、データ入力手段を使用して医療スタッフによって手動で入力され得る。または患者自身に位置付けられた人工呼吸器２９及びセンサ２６それぞれによって自動的に検出され得る。
【００４６】
好ましくは、マイクロプロセッサ１５には、略語ＤＯ２として公知の、搬送された酸素量に関する数量と、略語ＶＯ２として公知の、組織レベルで消費された酸素量に関する数量と、略語Ｏ２ＥＲとして公知の、酸素吸収率に関する数量と、を計算するよう適合された手段も設けられる。
【００４７】
より詳細には：
搬送された酸素量ＤＯ２は、以下の数式によって計算される。
ＤＯ２＝Ｃ．Ｏ．×Ｈｂｘ１．３４×ＳａＯ２＋Ｋ
ここで、センサはＣ．Ｏ．、Ｈｂ、ＳａＯ２に関するデータを提供し、Ｋは、動脈ライン及び静脈ラインにおける酸素の圧力差を表わす定数を指す。
組織レベルで消費された酸素量ＶＯ２は、以下の数式によって計算される。
ＶＯ２＝Ｃ．Ｏ．×（Ｈｂｘ１．３４×ＳａＯ２＋ＫーＨｂｘ１．３４×ＳｖＯ２＋Ｋ）
ここで、センサは、Ｃ．Ｏ．、Ｈｂ、ＳａＯ２、ＳｖＯ２に関するデータを提供し、Ｋは上記で指定されたものによる定数を指す。
【００４８】
酸素吸収率Ｏ２ＥＲは、以下の数式によって計算される。
Ｏ２ＥＲ＝ＶＯ２／ＤＯ２
【００４９】
有利には、マイクロプロセッサ１５は、搬送された酸素量ＤＯ２と酸素供給器４によって除去された二酸化炭素量Ｖ’ＣＯ２ＭＬとの間の比率である、数量ＤＯ２／Ｖ’ＣＯ２ＭＬを計算するよう適合された手段を備える。この比率は、ＣＰＢの治療の場合に特に有用である。ここで、酸素供給器４によって除去された二酸化炭素量Ｖ’ＣＯ２ＭＬは、患者がバイパスされることによって除去された合計の二酸化炭素量に相当する。したがって患者は、血液から二酸化炭素を排除することには全く助力せず、患者の腎臓における任意の問題の存在を識別するための、重要なパラメータを提供する。
【００５０】
デバイス１は、心臓血管の外部サポート循環装置２のポイントに挿入され、血圧の連続的な計測に好適な、少なくとも１つのセンサ２１、２２、２３を備え、乳酸を連続的に計測するのに好適な、センサ２４を備える。センサ２４は、乳酸センサとも定義できる。
【００５１】
より詳細には、デバイス１は、参照番号２１及び２２で識別され、循環装置２の離れたポイントに設置された、少なくとも２つのセンサを備え、関連のデータは、ＰＩＮ及びＰＯＵＴと示された、ディスプレイ１６の下方縁部における２つボックスに示される。センサ２１及び２２は、酸素供給器４に対して反対の両側に配置され、したがって数量ＰＩＮは、酸素供給器４への血液入口ポートにおける圧力に相当し、一方で数量ＰＯＵＴは、酸素供給器４からの血液出口ポートにおける圧力に相当する。センサ２１及び２２は、それぞれ入口圧力センサ及び出口圧力センサとも定義できる。
【００５２】
センサ２１及び２２によって検出された２つの圧力値ＰＩＮとＰＯＵＴとの間の差に関する、略語ΔＰとして公知の数量が、さらに計算される。
【００５３】
ＥＣＭＯまたはＥＣＬＳの治療の場合、デバイス１は、静脈ライン３に沿ってポンプ５の上流に設置され、ポンプ自体による血液吸引圧の値を検出するよう適合された別のセンサ２３を備え、コードＰｄｒａｉｎで識別される。センサ２３は、吸引圧センサとも定義できる。
【００５４】
ＣＰＢの治療ではない場合、デバイス１は、図１において参照番号２７で示され、患者の平均血圧ＰＭＰを測定するためのセンサを備える。センサ２７は、平均血圧センサとも定義できる。
【００５５】
このようなセンサ２７は、患者の血圧、したがって収縮期圧及び拡張期圧の両方を検出するために患者に適用される、圧力変換機のタイプである。センサ２７は、動作可能にマイクロプロセッサ１５に接続され、当該分野の技術者に公知のタイプのアルゴリズムに基づき、患者の平均血圧ＰＭＰを計算するようプログラムされる。例えば、マイクロプロセッサ１５は、所定の時間間隔で、センサによって検出された最大及び最小血圧に基づいて、平均血圧ＰＭＰを計算するよう適合される。
【００５６】
したがってセンサ２３及び２７は、実行される治療のタイプによって、互いに交換される。
【００５７】
本発明の機能は以下のとおりである。
【００５８】
一旦循環装置２が患者に接続され、デバイス１が電源に接続されると、患者をサポートするために外部循環を続けることが可能となる。
【００５９】
外部循環を用い、上述した全てのセンサによる、マイクロプロセッサ１５へのデータの送信によって、監視も開始される。
【００６０】
動作の特定のポイントにおいて、ディスプレイは、センサによって検出された様々な数量の瞬時値を示すことになり、例えば事前に設定した一定の時間間隔でアップデートされる。
【００６１】
有利には、マイクロプロセッサ１５には、ディスプレイ１６に図式的形態で示す手段が設けられ、少なくとも１つの数量が、その図によって横座標に表わされる時間の関数として、縦座標に表わされる。詳細には、特定の段階において、オペレータは、時間の関数として特定の数量の傾向を知る必要がある場合があり、この場合関連のボックス１７を押圧することによって、対応するグラフがディスプレイ１６上に示される。
【００６２】
同時に、マイクロプロセッサ１５は、数量Ｖ’ＣＯ２ＭＬ及びＶ’Ｏ２ＭＬの計算を続ける。
【００６３】
好適には、デバイス１は、患者の肺から除去された二酸化炭素量Ｖ’ＣＯ２ＮＬも検出し、除去された合計の二酸化炭素量Ｖ’ＣＯ２ｔｏｔａｌに関する数量を計算する。
【００６４】
これらの数量の図式的表示は、医療スタッフに、患者の生体機能について認識できる情報、すなわち患者から除去された二酸化炭素量Ｖ’ＣＯ２ＮＬを迅速且つ容易に提供し、それによって酸素供給器のパラメータを、除去された合計の二酸化炭素量Ｖ’ＣＯ２ｔｏｔａｌが必要な値に相当するよう、十分に規制する。
【００６５】
換言すると、医療スタッフが、患者から除去された二酸化炭素量Ｖ’ＣＯ２ＮＬが経時的に増加するのを検出し、それが患者の呼吸機能の改善に相当する場合、医療スタッフは、患者から除去される二酸化炭素量を減少させるよう、酸素供給器４を調整する。同様に、医療スタッフが、患者から除去された二酸化炭素量Ｖ’ＣＯ２ＮＬが経時的に低下するのを検出し、それが患者の呼吸機能の悪化に相当する場合、医療スタッフは、患者から除去される二酸化炭素量を増加させ、発生した不足を補うよう酸素供給器４を調整する。医療スタッフは、患者の肺機能が自給自足に達するまで、上述のように酸素供給器４の調整を続ける。
【００６６】
説明した発明が、意図した目標を実現したことが、実際に確認されている。詳細には、酸素供給器によって除去された二酸化炭素量に関する図式的表示、及び酸素供給器によって移送された酸素量に関する図式的表示は、医療スタッフが、酸素供給器の動作、及びいかに外部循環が進行しているかについての、迅速かつ直観的な情報を得ることを可能にする、という事実が強調される。
【００６７】
詳細には、患者から除去された二酸化炭素量、及び除去された合計の二酸化炭素量に関する数量の、数字的表示及び図式的表示は、医療スタッフが、外部循環の全体的状況を制御下に維持するのを可能にする。
【図１】
2021512660.tif 000003
【図２】
2021512660.tif 000004
【国際調査報告】
2021512660.tif 000005
2021512660.tif 000006
2021512660.tif 000007